(57)【要約】【課題】斜め方向のずれについて調整しなくても原稿の端の部分を読み取ることが可能な画像読み取り装置及びプログラムを提供する。【解決手段】原稿読み取りの指示の受け付け後に（Ｓ３０１）、読み取り寸法及び画像出力倍率をユーザの指定により取得すると（Ｓ３０２）、ずれ角度記憶部に格納したずれ角度を読み出す（Ｓ３０３）。このようにして取得した情報及び読み出した情報に基づいて、読み取る領域についての演算を行うと共に（Ｓ３０４）、読み取った画像を出力する際の主走査方向調整倍率及び副走査方向調整倍率についての演算を行う（Ｓ３０５）。画像読み取りコントロールは、実際の読み取り幅及び実際の読み取り長さに基づいて読み取る領域を設定する（Ｓ３０６）。原稿読み取りの開始後に（Ｓ３０７）、読み取った画像の大きさを調整し（Ｓ３０８）、調整後の画像を出力する（Ｓ３０９）。【選択図】図１２
2008252723.tif 000002
【特許請求の範囲】
【請求項１】
画像を光学的に読み取る画像読み取り部と、
前記画像読み取り部に原稿を送る原稿送り部と、
前記原稿送り部を前記画像読み取り部に設置するための設置部と、
前記画像読み取り部と当該画像読み取り部に前記設置部を介して設置される前記原稿送り部とのずれ角度に関する情報を検出する検出手段と、
前記検出手段により検出されるずれ角度に関する情報に基づいて、前記画像読み取り部において前記原稿送り部からの原稿の画像を読み取る範囲を設定する設定手段と、
を含む画像読み取り装置。
【請求項２】
前記設定手段により設定される範囲を読み取って得た画像を前記原稿送り部から送られる原稿の大きさに合うように調整する調整手段を更に含むことを特徴とする請求項１に記載の画像読み取り装置。
【請求項３】
原稿の画像を出力する際の画像出力倍率に関する情報を受け付ける受付部と、
前記設定手段により設定される範囲を読み取って得た原稿の画像を、前記受付部により受け付けられる画像出力倍率に関する情報によって特定される大きさに合うように調整する調整手段と、
を更に含むことを特徴とする請求項１に記載の画像読み取り装置。
【請求項４】
前記設定手段は、前記検出手段により検出されるずれ角度に関する情報に基づいて、前記画像読み取り部において前記原稿送り部からの原稿の画像を読み取る主走査読取方向の範囲及び副走査読取方向の範囲を設定することを特徴とする請求項１に記載の画像読み取り装置。
【請求項５】
前記検出手段は、
前記原稿送り部に設けられ、前記画像読み取り部により当該画像読み取り部に対する角度ずれを検出するための印を有する被検出部と、
前記画像読み取り部に起因しない前記原稿送り部に固有の固有角度ずれ情報を保持し、かつ、当該原稿送り部が当該画像読み取り部に設置されたときの当該画像読み取り部に対する前記被検出部の相対角度ずれ情報を保持する保持手段と、
前記保持手段により保持されている固有角度ずれ情報及び相対角度ずれ情報に基づき前記画像読み取り部に対する前記原稿送り部のずれ角度に関する情報を演算により取得する取得手段と、
を備えることを特徴とする請求項１に記載の画像読み取り装置。
【請求項６】
原稿送り装置が取り付け部を介して設置され、当該原稿送り装置から送られる原稿の画像を光学的に読み取る画像読み取り装置が備えるコンピュータ装置に、
前記画像読み取り装置と当該画像読み取り装置に前記取り付け部を介して設置される前記原稿送り装置とのずれ角度に関する情報を演算により取得する取得機能と、
前記取得機能により取得されるずれ角度に関する情報に基づいて、前記画像読み取り装置において前記原稿送り装置からの原稿の画像を読み取る範囲を設定する設定機能と、
を実現させるプログラム。
【請求項７】
前記設定機能により設定される範囲を読み取って得た画像を前記原稿送り装置から送られる原稿の大きさに合うように調整する調整機能を更に含むことを特徴とする請求項６に記載のプログラム。
【請求項８】
原稿の画像を出力する際の画像出力倍率に関する情報を受け付ける受付機能と、
前記設定機能により設定される範囲を読み取って得た原稿の画像を、前記受付機能により受け付けられる画像出力倍率に関する情報によって特定される大きさに合うように調整する調整機能と、
を更に含むことを特徴とする請求項６に記載のプログラム。
【発明の詳細な説明】
【技術分野】
【０００１】
本発明は、例えばディジタル複写機、スキャナ、ファクシミリ等の画像形成装置に用いられる画像読み取り装置等に関するものである。
【背景技術】
【０００２】
従来、複写機やファクシミリ、コンピュータ入力用のスキャナ等として、原稿の画像情報を自動的に読み取る画像読み取り装置が用いられている。この種の画像読み取り装置では、原稿の搬送路に直交する方向に延設される光源を用いて原稿に光を照射し、照射された原稿から反射した反射光をイメージセンサにて受光することで、原稿上の画像を読み取っている。
【０００３】
そして、この種の原稿読み取り装置として、原稿読み取り装置の上面に配置されているプラテンガラス（原稿載置板）に対して原稿を搬送する原稿搬送装置を備えたものが知られている（例えば、特許文献１参照）。すなわち、特許文献１には、プラテンガラスの上側であって原稿読み取り装置に対しヒンジを介して揺動自在（開閉自在）に取り付けられる原稿圧着板と、原稿圧着板に内蔵されプラテンガラスに対して原稿を自動搬送する自動原稿搬送装置と、を備えた構成が開示されている。
【０００４】
そして、原稿搬送装置により搬送される原稿に対する原稿読み取り装置の読み取り位置を調整するための構成についての技術も提案されている（例えば、特許文献２参照）。すなわち、特許文献２には、自動原稿送り装置によって搬送される原稿の画像を画像読取手段により読み取る画像読み取り装置において、自動原稿送り装置の読み取り位置近傍に、画像読取手段の主走査方向の読み取り位置を調整するための読取位置調整用のマークを設ける構成が開示されている。
【０００５】
【特許文献１】特開２００１−２４２５６１号公報
【特許文献２】特開平１０−２１５３４９号公報
【発明の開示】
【発明が解決しようとする課題】
【０００６】
ここで、調整専用の原稿を使用することなく読み取り位置の調整が可能にすると共に調整専用の原稿を使用する場合に比べて読み取り位置の調整を精度良く行うことは、従来の技術によって解決できる。しかしながら、原稿搬送装置が画像読み取り装置に対して斜めに置かれたときには、原稿搬送装置から搬送された原稿を画像読み取り装置が読み取る際に原稿の端の部分を読み取ることができない。したがって、そのように原稿搬送装置が画像読み取り装置に対して斜めに置かれたときには、斜め方向のずれについて、その方向や角度を知ることができず、何度か調整を繰り返す必要があった。
【０００７】
本発明は、以上のような技術的課題を解決するためになされたものであり、その目的とするところは、斜め方向のずれについて調整しなくても原稿の端の部分を読み取ることが可能な画像読み取り装置及びプログラムを提供することにある。
【課題を解決するための手段】
【０００８】
かかる目的のもと、本発明が適用される画像読み取り装置は、画像を光学的に読み取る画像読み取り部と、前記画像読み取り部に原稿を送る原稿送り部と、前記原稿送り部を前記画像読み取り部に設置するための設置部と、前記画像読み取り部と当該画像読み取り部に前記設置部を介して設置される前記原稿送り部とのずれ角度に関する情報を検出する検出手段と、前記検出手段により検出されるずれ角度に関する情報に基づいて、前記画像読み取り部において前記原稿送り部からの原稿の画像を読み取る範囲を設定する設定手段と、を含むものである。
【０００９】
ここで、前記設定手段により設定される範囲を読み取って得た画像を前記原稿送り部から送られる原稿の大きさに合うように調整する調整手段を更に含むことを特徴とすることができる。また、原稿の画像を出力する際の画像出力倍率に関する情報を受け付ける受付部と、前記設定手段により設定される範囲を読み取って得た原稿の画像を、前記受付部により受け付けられる画像出力倍率に関する情報によって特定される大きさに合うように調整する調整手段と、を更に含むことを特徴とすることができる。また、前記設定手段は、前記検出手段により検出されるずれ角度に関する情報に基づいて、前記画像読み取り部において前記原稿送り部からの原稿の画像を読み取る主走査読取方向の範囲及び副走査読取方向の範囲を設定することを特徴とすることができる。また、前記検出手段は、前記原稿送り部に設けられ、前記画像読み取り部により当該画像読み取り部に対する角度ずれを検出するための印を有する被検出部と、前記画像読み取り部に起因しない前記原稿送り部に固有の固有角度ずれ情報を保持し、かつ、当該原稿送り部が当該画像読み取り部に設置されたときの当該画像読み取り部に対する前記被検出部の相対角度ずれ情報を保持する保持手段と、前記保持手段により保持されている固有角度ずれ情報及び相対角度ずれ情報に基づき前記画像読み取り部に対する前記原稿送り部のずれ角度に関する情報を演算により取得する取得手段と、を備えることを特徴とすることができる。
【００１０】
他の観点から捉えると、本発明が適用されるプログラムは、原稿送り装置が取り付け部を介して設置され、当該原稿送り装置から送られる原稿の画像を光学的に読み取る画像読み取り装置が備えるコンピュータ装置に、前記画像読み取り装置と当該画像読み取り装置に前記取り付け部を介して設置される前記原稿送り装置とのずれ角度に関する情報を演算により取得する取得機能と、前記取得機能により取得されるずれ角度に関する情報に基づいて、前記画像読み取り装置において前記原稿送り装置からの原稿の画像を読み取る範囲を設定する設定機能と、を実現させるものである。
【００１１】
ここで、前記設定機能により設定される範囲を読み取って得た画像を前記原稿送り装置から送られる原稿の大きさに合うように調整する調整機能を更に含むことを特徴とすることができる。また、原稿の画像を出力する際の画像出力倍率に関する情報を受け付ける受付機能と、前記設定機能により設定される範囲を読み取って得た原稿の画像を、前記受付機能により受け付けられる画像出力倍率に関する情報によって特定される大きさに合うように調整する調整機能と、を更に含むことを特徴とすることができる。
【発明の効果】
【００１２】
請求項１によれば、斜め方向のずれについて調整しなくても原稿の端の部分を読み取ることが可能になる。
請求項２によれば、出力する画像を原稿の大きさに合わせることが可能になる。
請求項３によれば、ユーザの希望の大きさで画像出力することが可能になる。
請求項４によれば、主走査読取方向と副走査読取方向とを別々に設定することが可能になる。
請求項５によれば、本発明を適用しない場合に比べて、検出手段を簡易に構成することが可能になる。
請求項６によれば、斜め方向のずれについて調整しなくても原稿の端の部分を読み取ることが可能になる。
請求項７によれば、出力する画像を原稿の大きさに合わせることが可能になる。
請求項８によれば、ユーザの希望の大きさで画像出力することが可能になる。
【発明を実施するための最良の形態】
【００１３】
以下、添付図面を参照して、本発明の実施の形態について詳細に説明する。
図１は、本実施の形態に係る画像読み取り装置を示す概略構成図である。
図１に示すように、画像読み取り装置（画像読み取り部）は、積載された原稿束から原稿を順次搬送する原稿送り装置（原稿送り部）１０と、原稿送り装置１０に設けられた記憶装置（保持手段の一部、保存手段、記憶部）５０（図４参照）と、スキャンによって画像を読み込むスキャナ装置７０と、原稿送り装置１０やスキャナ装置７０の駆動制御およびスキャナ装置７０によって読み込まれた画像信号を処理する処理装置８０と、に大別される。なお、検出手段、設定手段及び取得手段の一部を構成する処理装置８０を、例えばＣＰＵにより構成することができる。
【００１４】
原稿送り装置１０は、複数枚の原稿からなる原稿束を積載する原稿トレイ１１と、原稿トレイ１１を上昇および下降させるトレイリフタ１２と、を備えている。また、原稿送り装置１０は、トレイリフタ１２により上昇された原稿トレイ１１の原稿を搬送するロール１３と、ロール１３により搬送された原稿を更に下流側まで搬送するフィードロール１４と、ロール１３により供給される原稿を１枚ずつ捌くリタードロール１５と、を備えている。
【００１５】
原稿トレイ１１の原稿が最初に搬送される第１搬送路３１には、一枚ずつに捌かれた原稿を下流側のロールまで搬送するテイクアウェイロール１６と、原稿を更に下流側のロールまで搬送すると共にループ作成を行うプレレジロール１７と、が配設されている。また、第１搬送路３１には、一旦停止した後にタイミングを合わせて回転を再開し、原稿読み取り部に対してレジストレーション調整を施しながら原稿を供給するレジロール１８と、読み込み中の原稿搬送をアシストするプラテンロール１９と、読み込まれた原稿を更に下流に搬送するアウトロール２０と、が配設されている。また、第１搬送路３１には、搬送される原稿のループ状態に応じて支点を中心として回転するバッフル４１が配設されている。
【００１６】
アウトロール２０の下流側には、原稿トレイ１１の下部に設けられ、読み込みが終了した原稿を積載させる排出トレイ４０に原稿を導く第２搬送路３２が設けられている。そして、この第２搬送路３２には、排出トレイ４０に対して原稿を排出させる第１排出ロール２１が配設されている。なお、第１排出ロール２１は、後述する理由により、原稿を逆方向に搬送する必要があることから、正逆方向に回転駆動されるように構成されている。
【００１７】
また、この原稿送り装置１０では、両面に画像が形成された原稿を読み取る場合において、両面の画像を１プロセスで読み取ることができるように、読み取りが終了した原稿を反転搬送するための第３搬送路３３が設けられている。この第３搬送路３３は、第１排出ロール２１の入口側とプレレジロール１７の入口側との間に設けられている。
【００１８】
さらに、この原稿送り装置１０では、原稿の両面読み取りを行った場合に、両面読み取りが終了した原稿をさらにもう一度反転させてから排出トレイ４０に排出させるための第４搬送路３４が設けられている。この第４搬送路３４は、第１排出ロール２１の入口側から下方に分岐するように形成されている。第４搬送路３４には、排出トレイ４０に対して原稿を排出させる第２排出ロール２２が取り付けられている。また、第３搬送路３３と第４搬送路３４との分岐部には、これらの搬送路を切り替える搬送路切替ゲート４２が設けられる。
【００１９】
ロール１３は、待機時にはリフトアップされて退避位置に保持され、原稿搬送時にニップ位置（原稿搬送位置）へ降下して原稿トレイ１１上の最上位の原稿を搬送する。ロール１３及びフィードロール１４は、フィードクラッチ（図示せず）の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６及びプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、後述する第２プラテンガラス７２Ｂに押圧されて、下面方向から画像データが読み込まれる。
【００２０】
この画像読み取り装置において、原稿の片面画像を読み取る片面モードでは、片面の読み取りを終了した原稿は、第１搬送路３１から第２搬送路３２へと導かれ、その後、第１排出ロール２１によって排出トレイ４０へと排出される。
【００２１】
一方、原稿の両面画像を読み取る両面モードでは、片面（第１面）の読み取りを終了した原稿が、第１搬送路３１から第２搬送路３２へと導かれ、その後、第１排出ロール２１によってさらに搬送される。そして、原稿の搬送方向後端が搬送路切替ゲート４２を通過した直後のタイミングで、搬送路切替ゲート４２が原稿を第３搬送路３３側へと導くように切り替えられ、第１排出ロール２１の回転方向が逆方向に切り替えられる。その結果、原稿は、その表裏が反転した状態で、第２搬送路３２から再び第１搬送路３１へと導かれる。そして、他の片面（第２面）の読み取りを終了した原稿が、第１搬送路３１から第２搬送路３２へと導かれ、第１排出ロール２１によってさらに搬送される。その後、原稿の搬送方向後端が搬送路切替ゲート４２を通過した直後のタイミングで、搬送路切替ゲート４２が今度は原稿を第４搬送路３４側へと導くように切り替えられ、第１排出ロール２１の回転方向が再び逆方向に切り替えられる。その結果、原稿は、さらに表裏が反転した状態で、第２搬送路３２から第４搬送路３４へと導かれ、第２排出ロール２２によって排出トレイ４０へと排出される。
【００２２】
このような構成を採用することにより、本実施の形態に係る原稿送り装置１０では、片面モード、両面モードに関係なく、画像読み取りを終了した原稿を、原稿トレイ１１へのセット時と表裏の関係が同じ状態で排出トレイ４０に積載することができる。
【００２３】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、装置フレーム７１に、画像を読み込むべき原稿を静止させた状態で置かれる第１プラテンガラス７２Ａと、原稿送り装置１０によって搬送中の原稿を読み取るための光の開口部を形成する第２プラテンガラス７２Ｂと、が設けられている。
【００２４】
なお、本実施の形態では、スキャナ装置７０に対して原稿送り装置１０が奥側を支点に揺動自在に取り付けられている。そして、第１プラテンガラス７２Ａ上に原稿をセットする際には、原稿送り装置１０を持ち上げて原稿を置き、その後、原稿送り装置１０をスキャナ装置７０側に降ろして押し付けるようになっている。
【００２５】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。
【００２６】
更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７と、結像用レンズ７７によって結像された光学像を光電変換するＣＣＤ(Charge Coupled Device)イメージセンサ７８と、ＣＣＤイメージセンサ７８が取り付けられる駆動基板７９と、を備えている。ＣＣＤイメージセンサ７８によって得られた画像信号は、駆動基板７９を介して処理装置８０に送られる。
なお、本実施の形態では、読み取り部ないし読み取り手段は、これらフルレートキャリッジ７３、照明ランプ７４、ハーフレートキャリッジ７５、第１ミラー７６Ａ、第２ミラー７６Ｂ、第３ミラー７６Ｃ、結像用レンズ７７、ＣＣＤイメージセンサ７８および駆動基板７９によって構成されている。
【００２７】
ここで、第１プラテンガラス７２Ａに置かれた原稿の画像を読み取る原稿固定読み取りの場合には、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８に設けられるラインセンサ（後述）は１次元のセンサであり、１ライン分を同時に処理している。このライン方向（スキャンの主走査読取方向）の１ラインの読み取りが終了すると、主走査読取方向と直交する方向（副走査読取方向）にフルレートキャリッジ７３を移動させ、原稿の次のラインを読み取る。これを原稿サイズ全体に亘って実行することで、１ページの原稿読み取りを完了させる。
【００２８】
一方、第２プラテンガラス７２Ｂは、例えば長尺の板状構造をなす透明なガラスプレートで構成される。原稿送り装置１０によって搬送される原稿の画像を読み取る原稿流し読み取りの場合には、原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。すなわち、ＣＣＤイメージセンサ７８に設けられる１次元のセンサであるラインセンサによって主走査読取方向の１ライン分を同時に処理した後、原稿送り装置１０によって搬送される原稿の次の主走査読取方向の１ラインが読み込まれる。原稿の先端が第２プラテンガラス７２Ｂの読み取り位置に到達した後、原稿が第２プラテンガラス７２Ｂの読み取り位置を通過することによって、副走査読取方向に亘って１ページの原稿読み取りが完了する。
【００２９】
次に、図１に示す処理装置８０について説明する。
図２は、処理装置８０を説明するためのブロック図である。本実施の形態が適用される処理装置８０は、大きく、ＣＣＤイメージセンサ７８から得られた画像情報を処理する信号処理部８１と、原稿送り装置１０およびスキャナ装置７０を制御する制御部９０と、を備えている。信号処理部８１は、ＣＣＤイメージセンサ７８からの出力に対して所定の画像処理を施している。この信号処理部８１は、入力されてくるアナログの画像信号に対してアナログ−ディジタル変換（Ａ/Ｄ変換）、フィルタ処理、シェーディング補正、および、γ補正等の処理を施す前処理部８２と、前処理部８２にて画像処理が施されたディジタルの画像信号に対して拡大・縮小、コントラスト調整、地肌除去、および２値化等を行う後処理部８３と、を備えている。この信号処理部８１からの出力は、例えばプリンタ等の画像出力装置や、パーソナルコンピュータ(ＰＣ)等のホストシステムへ出力される。
【００３０】
一方、制御部９０は、片面読み取りや両面読み取りの制御等を含め、原稿送り装置１０及びスキャナ装置７０の全体を制御する画像読み取りコントロール（調整手段）９１と、ＣＣＤイメージセンサ７８を制御するＣＣＤコントロール９２と、読み取りタイミングに合わせて照明ランプ７４を制御するランプコントロール９３と、を備えている。また、制御部９０は、スキャナ装置７０におけるモータのオン／オフなどを行い、フルレートキャリッジ７３とハーフレートキャリッジ７５とのスキャン動作を制御するスキャンコントロール９４を備えている。また、制御部９０は、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０及びスキャナ装置７０に対して制御信号が出力され、かかる制御信号に基づいて、これらの動作制御が可能となる。
【００３１】
画像読み取りコントロール９１は、ホストシステムからの制御信号や、例えば自動選択読み取り機能に際して検出されるセンサ出力、ユーザインタフェース（ＵＩ、受付部）を介したユーザからの選択等に基づいて、読み取りモードを設定し、原稿送り装置１０及びスキャナ装置７０を制御している。このような読み取りモードとしては、第１プラテンガラス７２Ａ上に原稿を置いて読み取る原稿固定読み取りモード、あるいは、１パスによる片面読み取りモードや反転パスを用いた反転両面読み取りモード等の原稿流し読み取りモードが考えられる。
【００３２】
図３は、原稿送り装置１０をスキャナ装置７０に対して持ち上げた状態を示す図である。
図３に示すように、原稿送り装置１０の下面１０ａには、検出手段の一部を構成するメカ斜め位置判定印６０が配置されている。このメカ斜め位置判定印６０は、副走査読取方向に延びる直線である。メカ斜め位置判定印６０の長さは、例えば、１０ｍｍ等の任意の寸法を採用すればよい。
【００３３】
このメカ斜め位置判定印６０は、原稿送り装置１０がスキャナ装置７０側に降ろされている状態では、スキャナ装置７０の読み取り可能領域内に位置する。付言すると、第２プラテンガラス７２Ｂの上を原稿が通過する原稿流し読み取りの場合には、メカ斜め位置判定印６０は読み取られない。しかし、メカ斜め位置判定印読み取りモードの場合には、フルレートキャリッジ７３が図１に示す位置よりもハーフレートキャリッジ７５に更に接近し、これにより、メカ斜め位置判定印６０が読み取られる。なお、メカ斜め位置判定印６０が読み取られるときには、フルレートキャリッジ７３が副走査読取方向に移動しながらスキャンが行われる。
【００３４】
図４は、記憶装置５０及びレジ調整に関する処理装置８０の構成を説明するためのブロック図である。なお、記憶装置５０は、原稿送り装置１０側に設けられており、処理装置８０は、スキャナ装置７０側に設けられている。
図４に示すように、記憶装置５０は、後述するマスター画像入力装置１００からのデータを取得する取得部５１と、取得部５１が取得したデータが記録されるＮＶＭ５２と、ＲＯＭ（情報格納部）５３と、ＮＶＭ５２及びＲＯＭ５３からのデータ等を処理装置８０側に送出する送出部５４と、を備えている。なお、ＲＯＭ５３には、原稿送り装置１０がスキャナ装置７０に設置された場合に、設置された装置が原稿送り装置１０であることをスキャナ装置７０側に認識させるための識別信号が記憶されている。また、ＲＯＭ５３に、メカ斜め位置判定印６０の寸法情報や原稿送り部に対する配置情報を記憶することもできる。
【００３５】
また、処理装置８０は、スキャナ装置７０の信号処理部８１（図２参照）からの出力を受け付けると共に、記憶装置５０の送出部５４からの出力を受け付ける受付部９６と、受付部９６が受け付けたデータ等を用いて演算を行う演算部（演算手段、判別手段）９７と、演算部９７の演算によるデータを一時的に格納すると共に格納しているデータを画像読み取りコントロール９１（図２参照）に出力する格納部（保持手段の一部）９８と、を備えている。
【００３６】
図５の（ａ）は、ＮＶＭ５２の構成を説明するためのブロック図であり、同図の（ｂ）は、格納部９８の構成を説明するためのブロック図である。なお、ＮＶＭ５２は、原稿送り装置１０（図１参照）側に配設され、格納部９８は、スキャナ装置７０（図１参照）側に配置されている。
図５の（ａ）に示すように、ＮＶＭ５２には、第１ポイント主走査位置記憶部５２ａ、第２ポイント主走査位置記憶部５２ｂ、第１ポイント副走査位置記憶部５２ｃ及び第２ポイント副走査位置記憶部５２ｄが設けられている。なお、第１ポイント主走査位置記憶部５２ａ及び第２ポイント主走査位置記憶部５２ｂには、原稿送り装置１０に固有の固有角度ずれ情報が記憶される。また、第１ポイント副走査位置記憶部５２ｃ及び第２ポイント副走査位置記憶部５２ｄは、メカ斜め位置判定印６０を測定するための測定位置情報が記憶される。
【００３７】
また、図５の（ｂ）に示すように、格納部９８には、設置時第１ポイント主走査位置記憶部９８ａ及び設置時第２ポイント主走査位置記憶部９８ｂが設けられている。すなわち、格納部９８には、相対角度ずれ情報が記憶される。また、図５の（ｂ）に示すように、格納部９８には、後述の演算により求めたずれ角度Δ（演算結果）を記憶するずれ角度記憶部９８ｃが設けられている。
【００３８】
図６は、原稿送り装置１０を出荷する際（製品出荷時）の処理手順を示すフローチャートである。すなわち、図６には、スキャナ装置７０に後付けするための原稿送り装置１０を出荷する際に行う手順が示されている。また、図７は、製品出荷時の処理手順を説明するためのブロック図である。
図６に示すフローチャートでは、まず出荷する原稿送り装置１０がマスター画像入力装置１００（図７参照）に設置されたことをマスター画像入力装置１００側が検出すると（ステップ１０１）、ＰＣ２００は、原稿送り装置１０の第１ポイント副走査位置記憶部５２ｃに記憶されている第１ポイント副走査位置Ａyを読み出すと共に、第２ポイント副走査位置記憶部５２ｄに記憶されている第２ポイント副走査位置Ｂyを読み出す（ステップ１０２）。そして、原稿送り装置１０に設けられているメカ斜め位置判定印６０のマスター画像入力装置１００による読み取りを開始する（ステップ１０３）。そして、ＰＣ２００は、マスター画像入力装置１００による読み取り結果を第１ポイント主走査位置記憶部５２ａ及び第２ポイント主走査位置記憶部５２ｂに格納する（ステップ１０４）。
【００３９】
これについて更に説明すると、図７に示すように、マスター画像入力装置１００は、第１ポイント副走査位置Ａyにおけるメカ斜め位置判定印６０の主走査読取方向の位置である第１ポイント主走査位置Ａxを読み取る。そして、ＰＣ２００は、第１ポイント主走査位置Ａxを原稿送り装置１０の第１ポイント主走査位置記憶部５２ａに格納する。また、マスター画像入力装置１００は、第２ポイント副走査位置Ｂyにおけるメカ斜め位置判定印６０の主走査読取方向の位置である第２ポイント主走査位置Ｂxを読み取る。そして、ＰＣ２００は、第２ポイント主走査位置Ｂxを原稿送り装置１０の第２ポイント主走査位置記憶部５２ｂに格納する。付言すると、第１ポイント主走査位置Ａx及び第２ポイント主走査位置Ｂxは、副走査読取方向に直交する主走査読取方向におけるメカ斜め位置判定印６０の位置である。なお、原稿送り装置１０には、原稿送り装置１０をスキャナ装置７０に取り付けるための図示しない取り付け金具（設置部、取り付け部）が配置されている。
【００４０】
このように、製品出荷時には、原稿送り装置１０の記憶装置５０の第１ポイント主走査位置記憶部５２ａに第１ポイント主走査位置Ａxが格納され、また、第２ポイント主走査位置記憶部５２ｂに第２ポイント主走査位置Ｂxが格納される。なお、上述したように、第１ポイント副走査位置記憶部５２ｃには、第１ポイント副走査位置Ａyが予め格納されており、製品出荷時に他の情報等は格納されない。また、第２ポイント副走査位置記憶部５２ｄには、第２ポイント副走査位置Ｂyが予め格納されており、製品出荷時に他の情報等は格納されない。
【００４１】
図８は、原稿送り装置１０をスキャナ装置７０に設置する際（設置時）の処理手順を示すフローチャートである。すなわち、図８には、スキャナ装置７０に原稿送り装置１０を後付けする際に行う手順が示されている。また、図９は、設置時の処理手順を説明するためのブロック図である。
図８に示すフローチャートでは、電源がＯＮ（オン）になったことを処理装置８０が確認すると（ステップ２０１）、原稿送り装置１０がスキャナ装置７０に設置されているか否かを検出する（ステップ２０２）。具体的に説明すると、図４に示す原稿送り装置１０の記憶装置５０のＲＯＭ５３に保存されている識別信号が、送出部５４を通じてスキャナ装置７０の処理装置８０の受付部９６に出力される。この識別信号を受付部９６が受け付けると、スキャナ装置７０に原稿送り装置１０が設置されていることを検出できる。
【００４２】
スキャナ装置７０は、図９に示す原稿送り装置１０の第１ポイント副走査位置記憶部５２ｃ及び第２ポイント副走査位置記憶部５２ｄに記憶されている第１ポイント副走査位置Ａy及び第２ポイント副走査位置Ｂyを読み出す（ステップ２０３）。
【００４３】
その後、原稿送り装置１０のメカ斜め位置判定印６０をスキャナ装置７０が読み取る動作が開始される（ステップ２０４）。そして、スキャナ装置７０がメカ斜め位置判定印６０を読み取ることができたか否かを判別する（ステップ２０５）。読み取りができなかったとの判別をしたときには、図示しないＵＩ等によりユーザに通知する（ステップ２０６）。
【００４４】
読み取りができたときには、スキャナ装置７０は、読み取り結果を図９に示す設置時第１ポイント主走査位置記憶部９８ａ及び設置時第２ポイント主走査位置記憶部９８ｂに格納する（ステップ２０７）。
これについて更に説明すると、スキャナ装置７０は、第１ポイント副走査位置Ａyにおけるメカ斜め位置判定印６０の主走査読取方向の位置である第１ポイント主走査位置Ａ'xを読み取る。そして、設置時第１ポイント主走査位置Ａ'xを格納部９８の設置時第１ポイント主走査位置記憶部９８ａに格納する。
また、スキャナ装置７０は、第２ポイント副走査位置Ｂyにおけるメカ斜め位置判定印６０の主走査読取方向の位置である設置時第２ポイント主走査位置Ｂ'xを読み取る。そして、設置時第２ポイント主走査位置Ｂ'xを格納部９８の設置時第２ポイント主走査位置記憶部９８ｂに格納する。
【００４５】
その後、スキャナ装置７０の演算部９７（図４参照）は、原稿送り装置１０のＮＶＭ５２に記憶されている第１ポイント主走査位置Ａx、第２ポイント主走査位置Ｂx、第１ポイント副走査位置Ａy及び第２ポイント副走査位置Ｂyを読み出し、かつ、格納部９８に格納されている設置時第１ポイント主走査位置Ａ'x及び設置時第２ポイント主走査位置Ｂ'xを読み出す。
【００４６】
演算部９７は、読み出した第１ポイント主走査位置Ａx、第２ポイント主走査位置Ｂx、第１ポイント副走査位置Ａy及び第２ポイント副走査位置Ｂyと、設置時第１ポイント主走査位置Ａ'x及び設置時第２ポイント主走査位置Ｂ'xとに基づいて、原稿送り装置１０のスキャナ装置７０に対するずれ角度Δを演算する（ステップ２０８）。このずれ角度Δの演算については後述する。
【００４７】
ずれ角度Δの演算が終了したら、スキャナ装置７０は、その演算結果であるずれ角度Δを格納部９８のずれ角度記憶部９８ｃに格納し（ステップ２０９）、一連の処理を終了する。
このように、スキャナ装置７０は、電源がオンになったときに、原稿送り装置１０により原稿が搬送される前の段階で、演算部９７によりずれ角度Δを演算してそれを格納部９８に格納しておく。
【００４８】
なお、ずれ角度Δの値は、原稿送り装置１０のスキャナ装置７０に対する位置関係が変わらなければ同じである。言い換えれば、原稿送り装置１０がスキャナ装置７０から取り外されなければ同じ斜めずれ（方向、角度）のままである。したがって、電源がオンになったときに、原稿送り装置１０がスキャナ装置７０から取り外されたか否かを検出し、その結果に応じて図８に示す処理手順を行うか否かを判断することも考えられる。すなわち、原稿送り装置１０がスキャナ装置７０から取り外されていないことを検出した場合には、図８に示す処理手順を省略することが考えられる。
【００４９】
図１０及び図１１は、図８に示すずれ角度の演算について説明するための図である。
出荷時におけるメカ斜め位置判定印６０が、図１０に示す破線のように副走査読取方向に対して角度（出荷時のずれ角）＋θで傾斜していたとする。ここで、表示の簡略化のために、ｄx＝Ｂx−Ａx、ｄy＝Ｂy−Ａyとすると、ｔａｎθ＝ｄx／ｄyが成り立つ。このため、出荷時のずれ角θは、＋θ＝ｔａｎ-1（＋ｄx／＋ｄy）の式により演算することができる。なお、この場合の出荷時のずれ角θは正（＋）の値である。
【００５０】
設置時におけるメカ斜め位置判定印６０'が、図１０に示す実線のように副走査読取方向に対して角度（設置時のずれ角）＋θ'で傾斜していたとする。そして、ｄ'x＝Ｂ'x−Ａ'xとすると、ｔａｎθ'＝ｄ'x／ｄyが成り立つ。このため、設置時のずれ角θ'は、θ'＝ｔａｎ-1（＋ｄ'x／＋ｄy）の式により演算することができる。なお、この場合の設置時のずれ角θ'は正（＋）の値である。
【００５１】
そして、スキャナ装置７０に対する原稿送り装置１０のずれ角度をΔとすると、出荷時のずれ角θ及び設置時のずれ角θ'を用いて、Δ＝θ−θ'である。このようにしてずれ角度Δを演算することができる。付言すると、ずれ角度Δは、正の値である場合もあり、また、負の値である場合もある。
【００５２】
また、図１１における設置時のメカ斜め位置判定印６０'は、出荷時のメカ斜め位置判定印６０に対して、主走査読取方向とは反対の方向に傾斜している。このため、＋ｄy（正の値）であり、−ｄ'x（負の値）であり、それゆえ、設置時のずれ角は、−θ'（負の値）である。すなわち、−θ'＝ｔａｎ-1（−ｄ'x／＋ｄy）である。したがって、ずれ角度Δは、Δ＝θ＋θ'で求められる。
【００５３】
図１２は、原稿読み取りを行う際の処理手順を示すフローチャートである。
図１２に示すフローチャートでは、処理装置８０の受付部９６（図４参照）は、ユーザによる原稿読み取りの指示を受け付けた後に（ステップ３０１）、読み取り寸法及び画像出力倍率ＭＡＧをユーザの指定により取得する（ステップ３０２）。
【００５４】
ここにいう読み取り寸法とは、スキャナ装置７０により読み取る大きさをいい、通常は原稿の大きさが入力される。読み取り寸法としては、例えば、読み取り幅Ｗが２１０ｍｍ、読み取り長さＬが２９７ｍｍという数値がユーザにより入力される。また、例えば、Ａ４版等の用紙種類を指定することにより、読み取り幅Ｗと読み取り長さＬが入力される場合も考えられる。
【００５５】
ここにいう画像出力倍率ＭＡＧとは、読み取った画像を出力する際の倍率をいう。画像出力倍率ＭＡＧとしては、例えば、等倍であれば１００％が入力される。また、例えば、原稿のサイズがＡ４版の場合に、出力する用紙のサイズとしてＡ５版やＡ３版等の用紙種類を指定することにより、画像出力倍率ＭＡＧが入力される場合も考えられる。
また、画像出力倍率ＭＡＧを、スキャナ装置７０の主走査読取方向（図３参照）とスキャナ装置７０の副走査読取方向（図３参照）とで互いに異なる倍率を入力できるように構成することも考えられる。この場合には、画像出力倍率ＭＡＧとして、主走査出力倍率ＦＳＭＡＧ及び副走査出力倍率ＳＳＭＡＧを入力することになる。
【００５６】
受付部９６が、読み取り幅Ｗ、読み取り長さＬ及び画像出力倍率ＭＡＧを取得すると、その後に、格納部９８のずれ角度記憶部９８ｃ（図９参照）に格納したずれ角度Δを読み出す（ステップ３０３）。
【００５７】
そして、このようにして取得した情報及び読み出した情報に基づいて、読み取る領域Ｓについての演算を行うと共に（ステップ３０４）、読み取った画像を出力する際の主走査方向調整倍率ＦＳＭＡＧ'及び副走査方向調整倍率ＳＳＭＡＧ'についての演算を行う（ステップ３０５）。
【００５８】
更に説明すると、処理装置８０の演算部９７（図４参照）は、ユーザが指定する読み取り幅Ｗと読み取り長さＬに対して実際に読み取る領域Ｓの寸法、すなわち、実際の読み取り幅ＲＷ及び実際の読み取り長さＲＬを演算により求める。また、演算部９７は、読み取った画像のすべてが原稿Ｄの縦横比と同じ比率で画像出力され、かつ、その出力される画像が、原稿Ｄの画像出力倍率ＭＡＧの大きさとなるような主走査方向調整倍率ＦＳＭＡＧ'及び副走査方向調整倍率ＳＳＭＡＧ'を演算により求める。ステップ３０４及びステップ３０５における演算については後述する。
【００５９】
なお、演算により求めた実際の読み取り幅ＲＷ、実際の読み取り長さＲＬ、主走査方向調整倍率ＦＳＭＡＧ'及び副走査方向調整倍率ＳＳＭＡＧ'は、処理装置８０の格納部９８（図４参照）に一時的に格納される。
【００６０】
そして、処理装置８０の画像読み取りコントロール９１（図２参照）は、実際の読み取り幅ＲＷ及び実際の読み取り長さＲＬに基づいて読み取る領域Ｓを設定し（ステップ３０６）、その後に、原稿送り装置１０に原稿送りの開始を指示する。これにより、原稿送り装置１０から送られてくる原稿Ｄの読み取りを開始し（ステップ３０７）、読み取りが完了したら、主走査方向調整倍率ＦＳＭＡＧ'及び副走査方向調整倍率ＳＳＭＡＧ'に基づいて画像処理することで、読み取った画像の大きさを調整し（ステップ３０８）、調整後の画像を、例えば図示しない画像形成装置に出力し（ステップ３０９）、一連の処理を終了する。
【００６１】
図１３は、実際に読み取る領域Ｓの寸法を求める演算について説明するための図である。なお、この演算は、上述したステップ３０４で行う処理についてのものである。
図１３に示すように、原稿送り装置１０がスキャナ装置７０に対して傾いて取り付けられている場合には、原稿送り装置１０により送られる原稿Ｄの外形とスキャナ装置７０の主走査読取方向ないし副走査読取方向との間に、ずれ角度Δだけ角度ずれが生じる。このずれ角度Δを考慮して、スキャナ装置７０が読み取る領域Ｓを原稿Ｄの実際の外形よりも大きく設定することで原稿Ｄの画像を確実に読み取るようにしている。言い換えると、ずれ角度Δを考慮して読み取る領域Ｓが原稿Ｄの大きさよりも大きくなるように設定している。
【００６２】
具体的に説明する。主走査読取方向における読み取るべき寸法を実際の読み取り幅ＲＷとし、副走査読取方向における読み取るべき寸法を実際の読み取り長さＲＬとすると、実際の読み取り幅ＲＷは、ＲＷ＝Ｗ×ｃｏｓΔ＋Ｌ×ｓｉｎΔの式により演算して求めることができる。また、実際の読み取り長さＲＬは、ＲＬ＝Ｌ×ｃｏｓΔ＋Ｗ×ｓｉｎΔの式により演算して求めることができる。
処理装置８０の演算部９７（図４参照）が、このようにして実際の読み取り幅ＲＷと実際の読み取り長さＲＬを演算により求めることで、画像読み取りコントロール９１（図２参照）は、読み取る領域Ｓを設定することができる。
【００６３】
付言すると、原稿Ｄが長方形の場合には、読み取る領域ＳにおけるＲＬ／ＲＷの比率が原稿ＤにおけるＬ／Ｗの比率と異なる。すなわち、原稿Ｄが長方形であれば、読み取り幅Ｗと読み取り長さＬとが互いに異なる値であるので、ずれ角度Δが同じであっても、読み取る領域Ｓの比率と原稿Ｄの比率とが互いに異なる。しかしながら、読み取る領域Ｓを、原稿Ｄの画像のすべてを読み取ることができると共に読み取る領域Ｓの比率が原稿Ｄの比率と同じになるように設定することも考えられる。
【００６４】
図１４は、読み取った画像を出力する際の主走査方向調整倍率ＦＳＭＡＧ'及び副走査方向調整倍率ＳＳＭＡＧ'を求める演算について説明するための図である。なお、この演算は、上述したステップ３０５で行う処理についてのものである。
スキャナ装置７０は、原稿Ｄの実際の外形よりも大きく設定された領域Ｓを読み取るので、読み取った画像を画像出力倍率ＭＡＧだけ拡大縮小して出力すると、読み取った画像のすべてが出力されず、一部が欠けてしまう。このため、読み取った画像を所定の比率で縮小する必要がある。なお、ここにいう所定の比率とは、読み取った領域Ｓを原稿Ｄの実際の大きさに合わせるための割合をいい、原稿Ｄが長方形の場合には主走査読取方向と副走査読取方向とで異なる値となる。ただし、主走査読取方向と副走査読取方向とで互いに同じ値を採用することも考えられる。
【００６５】
具体的に説明する。主走査読取方向における倍率を主走査方向調整倍率ＦＳＭＡＧ'とし、副走査読取方向における倍率を副走査方向調整倍率ＳＳＭＡＧ'とすると、主走査方向調整倍率ＦＳＭＡＧ'は、ＦＳＭＡＧ'＝ＭＡＧ×（ＲＷ／Ｗ）の式により演算して求めることができる。また、副走査方向調整倍率ＳＳＭＡＧ'は、ＳＳＭＡＧ'＝ＭＡＧ×（ＲＬ／Ｌ）の式により演算して求めることができる。
付言すると、主走査読取方向には、ＲＷ／Ｗの比率で縮小し、副走査読取方向には、ＲＬ／Ｌの比率で縮小することで、読み取った画像のすべてを出力するようにしている。更に、画像出力倍率ＭＡＧを乗じることにより、ユーザが希望する大きさの画像を出力するようにしている。なお、画像出力倍率ＭＡＧが１００％のときには、主走査読取方向にはＲＷ／Ｗの比率で縮小し、副走査読取方向にはＲＬ／Ｌの比率で縮小することで、出力する画像の大きさについての調整が完了する。
【００６６】
ここで、上述した式は、画像出力倍率ＭＡＧが主走査読取方向と副走査読取方向とで互いに同じ場合のものである。もし主走査読取方向の画像出力倍率と副走査読取方向の画像出力倍率が異なる場合には、主走査出力倍率ＦＳＭＡＧ及び副走査出力倍率ＳＳＭＡＧとすると、ＦＳＭＡＧ'＝ＦＳＭＡＧ×（ＲＷ／Ｗ）の式及び、ＳＳＭＡＧ'＝ＳＳＭＡＧ×（ＲＬ／Ｌ）の式を用いることになる。
【００６７】
このように、本実施の形態は、出荷調整された原稿送り装置１０をスキャナ装置７０に設置したときに生じる、スキャナ装置７０に対する原稿送り装置１０の斜めずれを考慮して画像読み取り及び画像処理を行うことで、ユーザによる斜めずれ調整の手間の省略を可能にする構成を採用している。
【００６８】
ここで、上述した実施の形態に示す各種処理は、スキャナ装置７０の作業用メモリを用いて、処理装置８０にて実行されるアプリケーションプログラムで実現される。このアプリケーションプログラムは、コンピュータであるスキャナ装置７０を顧客（ユーザを含む）に対して提供する際に、装置の中にインストールされた状態にて提供される場合の他、コンピュータに実行させるプログラムをコンピュータが読取可能に記憶した記憶媒体等にて提供する形態が考えられる。この記憶媒体としては、例えばＣＤ−ＲＯＭ媒体等が該当し、ＣＤ−ＲＯＭ読取装置（図示せず）等によってプログラムが読み取られて実行される。また、これらのプログラムは、例えばプログラム伝送装置（図示せず）によってネットワークを介し、ネットワークインタフェースを経由して提供される形態がある。このプログラム伝送装置としては、例えば、スキャナ装置７０に設けられ、プログラムを格納するメモリと、ネットワークを介してプログラムを提供するプログラム伝送手段とを備えている。
【図面の簡単な説明】
【００６９】
【図１】本実施の形態に係る画像読み取り装置を示す概略構成図である。
【図２】処理装置を説明するためのブロック図である。
【図３】原稿送り装置をスキャナ装置に対して持ち上げた状態を示す図である。
【図４】記憶装置及びレジ調整に関する処理装置の構成を説明するためのブロック図である。
【図５】（ａ）は、ＮＶＭの構成を説明するためのブロック図であり、（ｂ）は、格納部の構成を説明するためのブロック図である。
【図６】原稿送り装置を出荷する際の処理手順を示すフローチャートである。
【図７】製品出荷時の処理手順を説明するためのブロック図である。
【図８】原稿送り装置をスキャナ装置に設置する際の処理手順を示すフローチャートである。
【図９】設置時の処理手順を説明するためのブロック図である。
【図１０】図８に示すずれ角度の演算について説明するための図である。
【図１１】図８に示すずれ角度の演算について説明するための図である。
【図１２】原稿読み取りを行う際の処理手順を示すフローチャートである。
【図１３】実際に読み取る領域の寸法を求める演算について説明するための図である。
【図１４】読み取った画像を出力する際の主走査方向調整倍率及び副走査方向調整倍率を求める演算について説明するための図である。
【符号の説明】
【００７０】
１０…原稿送り装置、５０…記憶装置、５２…ＮＶＭ、５２ａ…第１ポイント主走査位置記憶部、５２ｂ…第２ポイント主走査位置記憶部、５２ｃ…第１ポイント副走査位置記憶部、５２ｄ…第２ポイント副走査位置記憶部、６０…メカ斜め位置判定印、７０…スキャナ装置、９０…制御部、９６…受付部、９７…演算部、９８…格納部、９８ａ…設置時第１ポイント主走査位置記憶部、９８ｂ…設置時第２ポイント主走査位置記憶部、９８ｃ…ずれ角度記憶部、１００…マスター画像入力装置、Ｄ…原稿、ＦＳＭＡＧ'…主走査方向調整倍率、Ｌ…読み取り長さ、ＭＡＧ…画像出力倍率、ＲＬ…実際の読み取り長さ、ＲＷ…実際の読み取り幅、Ｓ…領域、ＳＳＭＡＧ'…副走査方向調整倍率、Ｗ…読み取り幅、Δ…ずれ角度
【図１】
2008252723.tif 000003
【図２】
2008252723.tif 000004
【図３】
2008252723.tif 000005
【図４】
2008252723.tif 000006
【図５】
2008252723.tif 000007
【図６】
2008252723.tif 000008
【図７】
2008252723.tif 000009
【図８】
2008252723.tif 000010
【図９】
2008252723.tif 000011
【図１０】
2008252723.tif 000012
【図１１】
2008252723.tif 000013
【図１２】
2008252723.tif 000014
【図１３】
2008252723.tif 000015
【図１４】
2008252723.tif 000016